(57)【要約】【課題】商品または役務を提供する提供者と、コンテンツを制作する制作者とを結びつけ、両者の売り上げ増進に貢献すること。【解決手段】商品または役務を提供する提供者が、コンテンツを制作する制作者にコンテンツの制作を依頼するための仲介を行う仲介装置（サーバ装置１０）において、制作者に関する属性情報を登録する登録手段（クライアント装置１４）と、提供者が求めるコンテンツに関する希望情報を入力する入力手段（クライアント装置１４）と、入力手段から入力された希望情報に適合する属性情報を登録手段から検索する検索手段（クライアント装置１４）と、検索手段による検索結果を呈示する呈示手段（クライアント装置１４）と、を有する。【選択図】        図１
2005049927.tif 000002
【特許請求の範囲】
【請求項１】
商品または役務を提供する提供者が、コンテンツを制作する制作者にコンテンツの制作を依頼するための仲介を行う仲介装置において、
上記制作者に関する属性情報を登録する登録手段と、
上記提供者が求めるコンテンツに関する希望情報を入力する入力手段と、
上記入力手段から入力された希望情報に適合する属性情報を上記登録手段から検索する検索手段と、
上記検索手段による検索結果を呈示する呈示手段と、
を有することを特徴とする仲介装置。
【請求項２】
商品または役務を提供する提供者から、コンテンツを制作する制作者がコンテンツの制作を受注するための仲介を行う仲介装置において、
上記提供者が求めるコンテンツに関する希望情報を登録する登録手段と、
上記制作者に関する属性情報を入力する入力手段と、
上記入力手段から入力された属性情報に適合する希望情報を上記登録手段から検索する検索手段と、
上記検索手段による検索結果を呈示する呈示手段と、
を有することを特徴とする仲介装置。
【請求項３】
前記コンテンツは、著作物であって、前記提供者が提供する商品または役務に付随して提供することができるものであることを特徴とする請求項１または２記載の仲介装置。
【請求項４】
前記制作者に関する属性情報は、前記コンテンツの種類を示す情報を有していることを特徴とする請求項１または２記載の仲介装置。
【請求項５】
前記制作者に関する属性情報は、前記制作者自身のイメージまたは当該制作者が制作した著作物のイメージを示す情報を有していることを特徴とする請求項１または２記載の仲介装置。
【請求項６】
前記制作者に関する属性情報は、前記制作者の愛慕者の範囲を特定するための情報を有していることを特徴とする請求項１または２記載の仲介装置。
【請求項７】
前記制作者に関する属性情報は、前記制作者のスケジュールを示す情報を有していることを特徴とする請求項１または２記載の仲介装置。
【請求項８】
前記制作者に関する属性情報は、前記制作者にコンテンツの制作を依頼する場合に必要な費用に関する情報を有していることを特徴とする請求項１または２記載の仲介装置。
【請求項９】
前記制作者に関する属性情報は、前記制作者が現在または過去に関係を有したことのある他の提供者を示す情報であり、
前記検索手段は、上記他の提供者が、前記提供者の競合他社である場合には、検索対象から除外する、
ことを特徴とする請求項１または２記載の仲介装置。
【請求項１０】
前記呈示手段は、前記検索手段によって特定された制作者が過去に作成したコンテンツに関する情報も併せて呈示することを特徴とする請求項１記載の仲介装置。
【請求項１１】
商品または役務を提供する提供者から、コンテンツを制作する制作者がコンテンツの制作を受注するための仲介を行う仲介装置において、
上記提供者が提供する商品または役務に関する属性情報を登録する登録手段と、
上記制作者が求める商品または役務に関する希望情報を入力する入力手段と、
上記入力手段から入力された希望情報に適合する属性情報を上記登録手段から検索する検索手段と、
上記検索手段による検索結果を呈示する呈示手段と、
を有することを特徴とする仲介装置。
【請求項１２】
前記コンテンツは、著作物であって、前記提供者が提供する商品または役務に付随して提供することができるものであることを特徴とする請求項１１記載の仲介装置。
【請求項１３】
前記提供者が提供する商品または役務に関する属性情報は、前記商品または役務の種類を示す情報を有していることを特徴とする請求項１１記載の仲介装置。
【請求項１４】
前記提供者が提供する商品または役務に関する属性情報は、前記商品または役務のイメージを示す情報を有していることを特徴とする請求項１１記載の仲介装置。
【請求項１５】
前記提供者が提供する商品または役務に関する属性情報は、前記商品または役務の需要者の範囲を特定するための情報を有していることを特徴とする請求項１１記載の仲介装置。
【請求項１６】
前記提供者が提供する商品または役務に関する属性情報は、前記提供者のスケジュールを示す情報を有していることを特徴とする請求項１１記載の仲介装置。
【請求項１７】
前記提供者が提供する商品または役務に関する属性情報は、前記提供者の予算に関する情報を有していることを特徴とする請求項１１記載の仲介装置。
【請求項１８】
前記提供者に関する属性情報は、商品または役務の種類を示す情報を有し、
前記検索手段は、前記制作者が現在または過去に関係を有したことがある他の提供者が、同一または類似の種類の商品または役務を提供している場合には、当該他の提供者については、検索対象から除外する、
ことを特徴とする請求項１１記載の仲介装置。
【請求項１９】
商品または役務を提供する提供者が、コンテンツを制作する制作者にコンテンツの制作を依頼するための仲介を仲介装置により行う仲介方法において、
上記制作者に関する属性情報を登録する登録ステップと、
上記提供者が求めるコンテンツに関する希望情報を入力する入力ステップと、
上記入力ステップから入力された希望情報に適合する属性情報を上記登録ステップから検索する検索ステップと、
上記検索ステップによる検索結果を呈示する呈示ステップと、
を有することを特徴とする仲介装置による仲介方法。
【請求項２０】
商品または役務を提供する提供者から、コンテンツを制作する制作者がコンテンツの制作を受注するための仲介を仲介装置により行う仲介方法において、
上記提供者が求めるコンテンツに関する希望情報を登録する登録ステップと、
上記制作者に関する属性情報を入力する入力ステップと、
上記入力ステップから入力された属性情報に適合する希望情報を上記登録ステップから検索する検索ステップと、
上記検索手段による検索結果を呈示する呈示ステップと、
を有することを特徴とする仲介方法。
【請求項２１】
商品または役務を提供する提供者から、コンテンツを制作する制作者がコンテンツの制作を受注するための仲介を仲介装置により行う仲介方法において、
上記提供者が提供する商品または役務に関する属性情報を登録する登録ステップと、
上記制作者が求める商品または役務に関する希望情報を入力する入力ステップと、
上記入力手段から入力された希望情報に適合する属性情報を上記登録ステップから検索する検索ステップと、
上記検索手段による検索結果を呈示する呈示ステップと、
を有することを特徴とする仲介装置による仲介方法。
【請求項２２】
商品または役務を提供する提供者が、コンテンツを制作する制作者にコンテンツの制作を依頼するための仲介を行う仲介処理をコンピュータに機能させるコンピュータ読み取り可能な仲介用プログラムにおいて、
コンピュータを、
上記制作者に関する属性情報を登録する登録手段、
上記提供者が求めるコンテンツに関する希望情報を入力する入力手段、
上記入力手段から入力された希望情報に適合する属性情報を上記登録手段から検索する検索手段、
上記検索手段による検索結果を呈示する呈示手段、
として機能させることを特徴とするコンピュータ読み取り可能な仲介用プログラム。
【請求項２３】
商品または役務を提供する提供者から、コンテンツを制作する制作者がコンテンツの制作を受注するための仲介を行う仲介処理をコンピュータに機能させるコンピュータ読み取り可能な仲介用プログラムにおいて、
コンピュータを、
上記提供者が求めるコンテンツに関する希望情報を登録する登録手段、
上記制作者に関する属性情報を入力する入力手段、
上記入力手段から入力された属性情報に適合する希望情報を上記登録手段から検索する検索手段、
上記検索手段による検索結果を呈示する呈示手段、
として機能させることを特徴とするコンピュータ読み取り可能な仲介用プログラム。
【請求項２４】
商品または役務を提供する提供者から、コンテンツを制作する制作者がコンテンツの制作を受注するための仲介を行う仲介処理をコンピュータに機能させるコンピュータ読み取り可能な仲介用プログラムにおいて、
コンピュータを、
上記提供者が提供する商品または役務に関する属性情報を登録する登録手段、
上記制作者が求める商品または役務に関する希望情報を入力する入力手段、
上記入力手段から入力された希望情報に適合する属性情報を上記登録手段から検索する検索手段、
上記検索手段による検索結果を呈示する呈示手段、
として機能させることを特徴とするコンピュータ読み取り可能な仲介用プログラム。
【発明の詳細な説明】
【０００１】
【発明の属する技術分野】
本発明は、仲介装置、仲介装置による仲介方法、および仲介用プログラムに関する。
【０００２】
【従来の技術】
従来、プロダクションや、レコード会社が新人のアーティストを売り出そうとする場合や、既存のアーティストのレコード等の売り上げを伸ばそうとする場合には、プロモーションビデオを作成したり、街頭宣伝を行ったりする場合が多い。
【０００３】
また、商品または役務（以下、単に「商品等」と称する）を提供する提供者が、新たな商品等を売り出す場合や、既存の商品等の売り上げを伸ばそうとする場合には、テレビ放送や、ラジオ放送により、当該商品等の宣伝を行う場合が多い。
【０００４】
また、従来において、新たなオーディションの一形態として、新人アーティストの楽曲が録音されたＣＤ（Ｃｏｍｐａｃｔ  Ｄｉｓｋ）を商品に添付して販売し、顧客からの応答を集計する考案が提案されている（特許文献１参照）。
【０００５】
【特許文献１】
登録実用新案第３０７６１５７号公報（要約、請求の範囲）
【０００６】
【発明が解決しようとする課題】
特許文献１に示すような方法は、オーディションの一形態であり、オーディションと商品の販売促進を兼ねるものである。このため、どうしてもその適用範囲が限られたものとなってしまう。
【０００７】
また、従来においては、アーティストと商品を結びつける際には、商品のイメージに合った有名アーティストや有名な歌を、その商品の宣伝をする者が選び、公告媒体である商品とともに公告しているに過ぎない。すなわち、従来は、両者（アーティストと商品）を結びつけるための効率的な方法が提案されていないため、新人アーティストを売り出すとともに、商品の売り上げを増進させたいという需要が顕在化していなかった。また、例え、そのような需要があったとしても、両者の橋渡しをすることができないという問題点がある。
【０００８】
また、両者の売り上げに貢献するためには、両者が有するイメージが一致または重複するとともに、商品の消費者と、アーティストの愛慕者（ファン）の範囲が一致または重複することが望ましい。しかしながら、従来においては、これらの一致を図るための方法が提案されてないという問題点がある。
【０００９】
本発明は、上記の事情に基づきなされたもので、その目的とするところは、商品または役務を提供する提供者と、コンテンツを制作する制作者とを結びつけ、両者の売り上げ増進に貢献することが可能な仲介装置、仲介装置による仲介方法、および仲介用プログラムを提供しよう、とするものである。
【００１０】
【課題を解決するための手段】
上述の目的を達成するため、商品または役務を提供する提供者から、コンテンツを制作する制作者がコンテンツの制作を受注するための仲介を行う仲介装置において、制作者に関する属性情報を登録する登録手段と、提供者が求めるコンテンツに関する希望情報を入力する入力手段と、入力手段から入力された希望情報に適合する属性情報を登録手段から検索する検索手段と、検索手段による検索結果を呈示する呈示手段と、を有している。
【００１１】
このため、商品または役務を提供する提供者と、コンテンツを制作する制作者とを結びつけ、両者の売り上げ増進に貢献することが可能となる。
【００１２】
また、本発明は、商品または役務を提供する提供者から、コンテンツを制作する制作者がコンテンツの制作を受注するための仲介を行う仲介装置において、提供者が求めるコンテンツに関する希望情報を登録する登録手段と、制作者に関する属性情報を入力する入力手段と、入力手段から入力された属性情報に適合する希望情報を登録手段から検索する検索手段と、検索手段による検索結果を呈示する呈示手段と、を有している。
【００１３】
このため、商品または役務を提供する提供者と、コンテンツを制作する制作者とを結びつけ、両者の売り上げ増進に貢献することが可能となる。
【００１４】
また、他の発明は、上述の発明に加えて、コンテンツは、著作物であって、提供者が提供する商品または役務に付随して提供することができるものであるようにしている。このため、価値あるコンテンツを、商品または役務に付随して提供するので、制作者にはコンテンツの発表の機会を与えるとともに、提供者には商品または役務の売り上げを増進する機会を与えることができる。
【００１５】
また、他の発明は、上述の発明に加えて、制作者に関する属性情報は、コンテンツの種類を示す情報を有している。このため、コンテンツの種類を検索条件に設定し、所望のコンテンツを制作してくれる制作者を迅速に見つけだすことが可能になる。
【００１６】
また、他の発明は、上述の発明に加えて、制作者に関する属性情報は、制作者自身のイメージまたは当該制作者が制作した著作物のイメージを示す情報を有している。このため、提供者は、自己が提供しようとする商品または役務に適合する制作者を迅速かつ簡易に見つけることが可能になる。
【００１７】
また、他の発明は、上述の発明に加えて、制作者に関する属性情報は、制作者の愛慕者の範囲を特定するための情報を有している。このため、制作者の愛慕者（ファン）と、自己が提供しようとする商品または役務のターゲットの範囲が重なるようにすることで、より効果的に自己の商品または役務についてのプロモーションをすることができる。
【００１８】
また、他の発明は、上述の発明に加えて、制作者に関する属性情報は、制作者のスケジュールを示す情報を有するようにしている。このため、提供者が希望する制作者を迅速に見つけることが可能になるとともに、制作者のスケジュールについても検討することが可能になる。
【００１９】
また、他の発明は、上述の発明に加えて、制作者に関する属性情報は、制作者にコンテンツの制作を依頼する場合に必要な費用に関する情報を有している。このため、費用も考慮して制作者を見つけだすことが可能になる。
【００２０】
また、他の発明は、上述の発明に加えて、制作者に関する属性情報は、制作者が現在または過去に関係を有したことのある他の提供者を示す情報であり、検索手段は、他の提供者が、提供者の競合他社である場合には、検索対象から除外するようにしている。このため、同一の制作者は、競合他社とは契約しないという業界の慣行を踏襲することが可能になる。
【００２１】
また、他の発明は、上述の発明に加えて、呈示手段は、検索手段によって特定された制作者が過去に制作したコンテンツに関する情報も併せて呈示する。この結果、過去に制作したコンテンツを参照することにより、提供者は、自己の商品または役務に適合する制作者であるか否かを正確に判断することが可能になる。
【００２２】
また、本発明は、商品または役務を提供する提供者から、コンテンツを制作する制作者がコンテンツの制作を受注するための仲介を行う仲介装置において、提供者が提供する商品または役務に関する属性情報を登録する登録手段と、制作者が求める商品または役務に関する希望情報を入力する入力手段と、入力手段から入力された希望情報に適合する属性情報を登録手段から検索する検索手段と、検索手段による検索結果を呈示する呈示手段と、を有している。
【００２３】
このため、商品または役務を提供する提供者と、コンテンツを制作する制作者とを結びつけ、両者の売り上げ増進に貢献することが可能となる。
【００２４】
また、他の発明は、上述の発明に加えて、コンテンツは、著作物であって、提供者が提供する商品または役務に付随して提供することができるものとしている。このため、価値あるコンテンツを、商品または役務に付随して提供するので、制作者にはコンテンツの発表の機会を与えるとともに、提供者には商品または役務の売り上げを増進する機会を与えることができる。
【００２５】
また、他の発明は、上述の発明に加えて、提供者が提供する商品または役務に関する属性情報は、商品または役務の種類を示す情報を有している。このため、制作者は、商品または役務の種類を考慮した上で、目的の提供者を迅速に見つけることが可能になる。
【００２６】
また、他の発明は、上述の発明に加えて、提供者が提供する商品または役務に関する属性情報は、商品または役務のイメージを示す情報を有している。このため、制作者は、自己のコンテンツに適合する提供者を迅速かつ簡易に見つけることが可能になる。
【００２７】
また、他の発明は、上述の発明に加えて、提供者が提供する商品または役務に関する属性情報は、商品または役務の需要者の範囲を特定するための情報を有している。このため、制作者は、自己の愛慕者と範囲が一致する商品または役務を簡易かつ迅速に見つけることが可能になる。
【００２８】
また、他の発明は、上述の発明に加えて、提供者が提供する商品または役務に関する属性情報は、提供者のスケジュールを示す情報を有している。このため、制作者が希望する提供者を迅速に見つけることが可能になるとともに、提供者のスケジュールについても検討することが可能になる。
【００２９】
また、他の発明は、上述の発明に加えて、提供者が提供する商品または役務に関する属性情報は、提供者の予算に関する情報を有している。このため、予算も考慮して、希望する提供者を見つけだすことが可能になる。
【００３０】
また、他の発明は、上述の発明に加えて、提供者に関する属性情報は、商品または役務の種類を示す情報を有し、検索手段は、制作者が現在または過去に関係を有したことがある他の提供者が、同一または類似の種類の商品または役務を提供している場合には、当該他の提供者については、検索対象から除外するようにしている。このため、同一の制作者は、競合他社とは契約しないという業界の慣行を踏襲することが可能になる。
【００３１】
また、本発明は、商品または役務を提供する提供者から、コンテンツを制作する制作者がコンテンツの制作を受注するための仲介を仲介装置により行う仲介方法において、制作者に関する属性情報を登録する登録ステップと、提供者が求めるコンテンツに関する希望情報を入力する入力ステップと、入力ステップから入力された希望情報に適合する属性情報を登録ステップから検索する検索ステップと、検索ステップによる検索結果を呈示する呈示ステップと、を有している。
【００３２】
このため、本方法によれば、商品または役務を提供する提供者と、コンテンツを制作する制作者とを結びつけ、両者の売り上げ増進に貢献することが可能となる。
【００３３】
また、本発明は、商品または役務を提供する提供者から、コンテンツを制作する制作者がコンテンツの制作を受注するための仲介を仲介装置により行う仲介方法において、提供者が求めるコンテンツに関する希望情報を登録する登録ステップと、制作者に関する属性情報を入力する入力ステップと、入力ステップから入力された属性情報に適合する希望情報を登録ステップから検索する検索ステップと、検索手段による検索結果を呈示する呈示ステップと、を有している。
【００３４】
このため、本方法によれば、商品または役務を提供する提供者と、コンテンツを制作する制作者とを結びつけ、両者の売り上げ増進に貢献することが可能となる。
【００３５】
また、本発明は、商品または役務を提供する提供者が、コンテンツを制作する制作者にコンテンツの制作を依頼するための仲介を仲介装置により行う仲介方法において、提供者が提供する商品または役務に関する属性情報を登録する登録ステップと、制作者が求める商品または役務に関する希望情報を入力する入力ステップと、入力手段から入力された希望情報に適合する属性情報を登録ステップから検索する検索ステップと、検索手段による検索結果を呈示する呈示ステップと、を有している。
【００３６】
また、本発明は、商品または役務を提供する提供者が、コンテンツを制作する制作者にコンテンツの制作を依頼するための仲介を行う仲介処理をコンピュータに機能させるコンピュータ読み取り可能な仲介用プログラムにおいて、コンピュータを、制作者に関する属性情報を登録する登録手段、提供者が求めるコンテンツに関する希望情報を入力する入力手段、入力手段から入力された希望情報に適合する属性情報を登録手段から検索する検索手段、検索手段による検索結果を呈示する呈示手段、として機能させるようにしている。
【００３７】
このため、本プログラムをインストールすれば、商品または役務を提供する提供者と、コンテンツを制作する制作者とを結びつけ、両者の売り上げ増進に貢献することが可能となる。
【００３８】
また、本発明は、商品または役務を提供する提供者から、コンテンツを制作する制作者がコンテンツの制作を受注するための仲介を行う仲介処理をコンピュータに機能させるコンピュータ読み取り可能な仲介用プログラムにおいて、コンピュータを、提供者が求めるコンテンツに関する希望情報を登録する登録手段、制作者に関する属性情報を入力する入力手段、入力手段から入力された属性情報に適合する希望情報を登録手段から検索する検索手段、検索手段による検索結果を呈示する呈示手段、として機能させるようにしている。
【００３９】
このため、本プログラムをインストールすれば、商品または役務を提供する提供者と、コンテンツを制作する制作者とを結びつけ、両者の売り上げ増進に貢献することが可能となる。
【００４０】
また、本発明は、商品または役務を提供する提供者から、コンテンツを制作する制作者がコンテンツの制作を受注するための仲介を行う仲介処理をコンピュータに機能させるコンピュータ読み取り可能な仲介用プログラムにおいて、コンピュータを、提供者が提供する商品または役務に関する属性情報を登録する登録手段、制作者が求める商品または役務に関する希望情報を入力する入力手段、入力手段から入力された希望情報に適合する属性情報を登録手段から検索する検索手段、検索手段による検索結果を呈示する呈示手段、として機能させるようにしている。
【００４１】
このため、本プログラムをインストールすれば、商品または役務を提供する提供者と、コンテンツを制作する制作者とを結びつけ、両者の売り上げ増進に貢献することが可能となる。
【００４２】
【発明の実施の形態】
以下、本発明の一実施の形態について、図面を参照して説明する。
【００４３】
図１は、本発明の実施の形態に係る仲介装置を含む仲介システムの構成例を示す図である。この図に示すように、仲介システムは、仲介装置であるサーバ装置１０、クライアント装置１１〜１４、ＬＡＮ（Ｌｏｃａｌ  Ａｒｅａ  Ｎｅｔｗｏｒｋ）１５およびインターネット１６によって構成されている。
【００４４】
ここで、サーバ装置１０は、サーバマシンまたはワークステーション等によって構成され、仲介業者の社内に設置されており、ＬＡＮ１５を介して社内のクライアント装置１１と接続されている。また、サーバ装置１０は、インターネット１６に接続されており、クライアント装置１１〜１４からのアクセスを受け付ける。なお、この例では、サーバ装置１０は、インターネット１６に直接接続されているが、例えば、ファイアウォール等を介して接続し、外部からの進入または攻撃を回避してセキュリティを向上させることも可能である。
【００４５】
クライアント装置１１〜１４は、パーソナルコンピュータ、ＰＤＡ（Ｐｅｒｓｏｎａｌ  Ｄｉｇｉｔａｌ  Ａｓｓｉｓｔａｎｔ）、または携帯電話等によって構成されており、インターネット１６を介してサーバ装置１０にアクセスすることにより、所定の情報を得ることができる。
【００４６】
ここで、クライアント装置１１は、仲介業者が所有しており、サーバ装置１０に情報を登録したり、登録されている情報を削除する場合に操作される。
【００４７】
クライアント装置１２は、商品または役務を提供する提供者が有しており、サーバ装置１０にアクセスして、所望の制作者を募ることができる。なお、本明細書中において商品とは、商取引の目的たりうべきものをいい、電子データを含む。また、役務とは、他人のために行う労務または便益であって、独立して商取引の目的たりうべきものをいい、電子データの提供も含む。また、提供者とは、主に、商品を製造する製造者、商品を販売する販売者、役務を提供する提供者等をいう。
【００４８】
クライアント装置１３は、コンテンツを制作したり、実演したりする制作者が有しており、サーバ装置１０にアクセスして、所望の提供者を募ることができる。なお、本明細書中において、コンテンツとは、主に著作物をいい、例えば、言語の著作物、音楽の著作物、絵画等の美術の著作物、図形の著作物、映画の著作物、写真の著作物、映画の著作物をいう。また、制作者とは、主に、アーティスト（著作者たる作曲家および作詞家等ならびに実演家たる歌手、演奏家、および演技者等）、レコード製作者、放送事業者、有線放送事業者、およびプロダクションも含むものである。よって、以下では、「制作」の語句には、本来の意味の他にアーティストによる実演や企業による制作、放送等も含めるものとする。
【００４９】
クライアント装置１４は、クライアント装置１３と同様に、コンテンツを制作したり、実演したりする制作者が有しており、サーバ装置１０にアクセスして、所望の提供者を募ることができる。
【００５０】
ＬＡＮ１５は、仲介業者の社内に敷設されたローカルなネットワークであり、サーバ装置１０とクライアント装置１１とを電気的に接続して、これらの間で情報の授受を可能とする。なお、この例では、クライアント装置１１は、１台のみとされているが、複数のクライアント装置を接続することも可能である。また、クライアント装置１２も１台のみとなっているが、複数の提供者がインターネット１６に接続し、サーバ装置１０にアクセス可能とされる。同様に、クライアント装置１３，１４も３台以上とでき、複数の制作者がインターネット１６に接続し、サーバ装置１０にアクセス可能である。
【００５１】
インターネット１６は、複数のコンピュータを相互に接続した世界的なネットワーク群の総称であり、個々の通信機器に付与されたＩＰ（Ｉｎｔｅｒｎｅｔ  Ｐｒｏｔｏｃｏｌ）アドレスに基づいて、情報をパケット化して双方向に伝送する。
【００５２】
図２は、図１に示すサーバ装置１０およびクライアント装置１１〜１４の詳細な構成例を示す図である。この図に示すように、サーバ装置１０およびクライアント装置１１〜１３は、ＣＰＵ（Ｃｅｎｔｒａｌ  Ｐｒｏｃｅｓｓｉｎｇ  Ｕｎｉｔ）３０、ＲＯＭ（Ｒｅａｄ  Ｏｎｌｙ  Ｍｅｍｏｒｙ）３１、ＲＡＭ（Ｒａｎｄｏｍ  Ａｃｃｅｓｓ  Ｍｅｍｏｒｙ）３２、ＨＤＤ（Ｈａｒｄ  Ｄｉｓｋ  Ｄｒｉｖｅ）３３、ビデオ回路３４、Ｉ／Ｆ（Ｉｎｔｅｒｆａｃｅ）３５、バス３６、表示装置３７、入力装置３８、および外部記憶装置３９によって構成されている。
【００５３】
ＣＰＵ３０は、ＨＤＤ３３または外部記憶装置３９に格納されているプログラムに従って、各種演算処理等を実行するとともに、装置の各部を制御する処理装置である。
【００５４】
ＲＯＭ３１は、ＣＰＵ３０が実行する基本的なプログラムおよびデータを格納するメモリである。ＲＡＭ３２は、ＣＰＵ３０が実行途中のプログラムおよび演算途中のデータを一時的に格納するメモリである。
【００５５】
ＨＤＤ３３は、ＣＰＵ３０が実行する各種プログラムを格納するとともに、演算処理によって生じた各種データを格納する記憶装置である。ビデオ回路３４は、ＣＰＵ３０から供給された描画命令に従って描画処理を実行し、得られた画像を映像信号に変換して出力する回路である。
【００５６】
Ｉ／Ｆ３５は、入力装置３８から出力された信号の表現形式を変換するとともに、外部記憶装置３９およびインターネット１６との間で情報を授受する際に、信号の表現形式の変換を行う回路である。
【００５７】
バス３６は、ＣＰＵ３０、ＲＯＭ３１、ＲＡＭ３２、ＨＤＤ３３、ビデオ回路３４、およびＩ／Ｆ３５を相互に接続し、これらの間でデータの授受を可能にする信号線群である。
【００５８】
表示装置３７は、例えば、ＣＲＴ（Ｃａｔｈｏｄｅ  Ｒａｙ  Ｔｕｂｅ）モニタまたはＬＣＤ（Ｌｉｑｕｉｄ  Ｃｒｙｓｔａｌ  Ｄｉｓｐｌａｙ）モニタによって構成されており、ビデオ回路３４から出力された映像信号に対応する画像を表示する装置である。
【００５９】
入力装置３８は、例えば、キーボードまたはマウスによって構成され、ユーザの操作に応じた信号を出力する装置である。外部記憶装置３９は、例えば、ＭＯ（Ｍａｇｎｅｔｏ−Ｏｐｔｉｃａｌ  ｄｉｓｋ）ドライブや、ＤＶＤ−ＲＡＭ（Ｄｉｇｉｔａｌ  Ｖｅｒｓａｔｉｌｅ  Ｄｉｓｋ  ＲＡＭ）ドライブによって構成されており、ＭＯディスクやＤＶＤ−ＲＡＭディスクにデータを記録するとともに、これらに記録されているデータを読み出して出力する装置である。
【００６０】
図３は、図１に示すサーバ装置１０のＨＤＤ３３に記憶されているソフトウエアと、ＣＰＵ３０、ＲＯＭ３１、ＲＡＭ３２等のハードウエアとが協働することにより実現される機能を示す図である。この図に示すように、サーバ装置１０の機能としては、送受信管理モジュール４０、基本制御モジュール４１、ＤＢ（Ｄａｔａ  Ｂａｓｅ）管理モジュール４２、およびＤＢ４３がある。
【００６１】
送受信管理モジュール４０は、ＬＡＮ１４またはインターネット１６を介して情報を授受する際に、プロトコルの変換処理等を実行する。呈示手段であり、入力手段である基本制御モジュール４１は、例えば、ＯＳ（Ｏｐｅｒａｔｉｎｇ  Ｓｙｓｔｅｍ）等を仲介として実現されるモジュールであり、サーバ装置１０における基本的な処理を実行する。
【００６２】
検索手段であるＤＢ管理モジュール４２は、ＤＢ４３に格納されているデータを管理するモジュールである。登録手段であるＤＢ４３は、提供者または制作者に関する情報を格納している。
【００６３】
つぎに、以上の実施の形態の動作について説明する。
【００６４】
まず、動作の概略について説明する。この実施の形態において、仲介システムを利用するためには、提供者または制作者がサーバ装置１０に自己の属性情報を登録する。そして、提供者は、自己が提供しようとする商品等に適合するコンテンツを制作したり、実演したり等してくれると考えられる制作者を、サーバ装置１０を利用して検索し、適合する制作者が見つかった場合には、コンテンツの制作や実演等を依頼する。また、逆に、制作者は、自己が提供するコンテンツに適合する商品等を提供している提供者または商品や役務をサーバ装置１０を利用して検索し、適合する提供者等が見つかった場合には、コンテンツの制作や実演等の依頼を受ける。
【００６５】
図４は、図１に示す仲介システムに対して、制作者が自己に関する属性情報を登録する際の処理を説明するフローチャートである。ここで、属性情報は、主に、制作者の氏名、性別等の情報の他、ファンの範囲や、制作者自身の有するイメージ、または、制作者が制作したり、実演したりするコンテンツの有するイメージをいうものとする。なお、この実施の形態では、制作者は、軽音楽の作曲家兼実演家であるとし、クライアント装置１３を操作して登録を行うものとする。
【００６６】
ステップＳ１０：クライアント装置１３から登録の依頼がなされると、基本制御モジュール４１は、ＤＢ管理モジュール４２を制御して、登録画面を表示するための情報をＤＢ４３から取得し、送受信管理モジュール４０を介して、要求を行ったクライアント装置１３に送信する。その結果、クライアント装置１３の表示装置３７には、図５に示すような画面６０が表示されることになる。なお、テキストボックス６２〜７３は、空白状態となっている。
【００６７】
この表示例では、画面６０の最上部には、タイトル６１として「登録」が表示されている。また、その下には、テキストボックス６２〜７３が表示され、最下部にはボタン７４，７５が表示されている。ここで、テキストボックス６２には、制作者の氏名が制作者側の者により入力される。テキストボックス６３には、制作者の性別が入力される。テキストボックス６４には、制作者の年齢が入力される。テキストボックス６５には、制作者の出身地が入力される。テキストボックス６６には、制作者の所属プロダクションが入力される。テキストボックス６７には、制作者の契約レコード会社が入力される。
【００６８】
テキストボックス６８には、制作者のタイアップ情報（過去にタイアップしたことがある会社名等の情報）が入力される。テキストボックス６９には、制作者の作品情報が入力される。この例では、作品情報として、制作者が制作した楽曲を録音したファイルの名前が入力されている。テキストボックス７０には、制作者が過去に参加したイベントに関する情報が入力される。テキストボックス７１には、制作者のスケジュールが入力される。この例では、スケジュールが格納されたファイルの名前が入力されている。テキストボックス７２には、制作者の制作する著作物のジャンル（種類）が入力される。テキストボックス７３には、制作者が制作した著作物を、例えば、ＣＤ等に複製して販売する場合の１枚あたりのコストが入力される。なお、１枚あたりの製造コストではなく、例えば、運送費まで含めたコストとしてもよい。
【００６９】
ボタン７４は、入力された情報を登録する場合に操作される。また、ボタン７５は、入力された情報の登録をキャンセルする場合に操作される。これらのボタンやテキストボックス以外に、他のテキストボックス等を加えたり、上述のテキストボックス等の一部を削除したりしてもよい。加えるテキストボックスとしては、実演のみか否か、作詞作曲が可能か否か、および制作者として売り込みたいイメージ等が存在する。
【００７０】
ステップＳ１１：基本制御モジュール４１は、入力が終了したか否か、すなわち、ボタン７４が操作されたか否かを判定し、操作された場合にはステップＳ１２に進み、それ以外の場合には同様の処理を繰り返す。
【００７１】
ステップＳ１２：基本制御モジュール４１は、画面６０において入力された情報を、クライアント装置１３から送受信管理モジュール４０を介して受信し、ＤＢ４３に一時的に格納する。
【００７２】
ステップＳ１３：基本制御モジュール４１は、ＤＢ管理モジュール４２を制御して、制作者のファン（愛慕者）に関する情報を入力する画面を表示するための情報をＤＢ４３から取得し、送受信管理モジュール４０を介して、要求を行ったクライアント装置１３に送信する。その結果、クライアント装置１３の表示装置３７には、図６に示すような画面８０であって未チェックの画面８０が表示されることになる。
【００７３】
この表示例では、画面８０の最上部には、タイトル８１として「ファン」が表示されている。また、その下には、チェックボックス８２〜８４が表示されている。最下部には、ボタン８５，８６が表示されている。
【００７４】
ここで、チェックボックス８２には、主たるファンの性別が入力される。男性が主たるファンである場合には、「男性」側のチェックボックスがチェックされ、女性が主たるファンである場合には、「女性」側のチェックボックスがチェックされ、両方が主たるファンである場合には「男性」と「女性」の双方のチェックボックスがチェックされる。
【００７５】
チェックボックス８３には、ファンの年齢層が入力される。この例では、「１０歳未満」、「１０〜２０歳」、「２１〜３０歳」、「３１〜４０歳」、「４１〜５０歳」、「５１〜６０歳」、「６１〜７０歳」、「８０歳以上」が表示されており、該当するチェックボックスがチェックされる。
【００７６】
チェックボックス８４には、ファンが多く居住する地域が入力される。この例では、「北海道」、「東北」、「関東」、「甲信越」、「北陸」、「東海」、「近畿」、「中国」、「四国」、「九州」が表示されており、該当するチェックボックスがチェックされる。なお、チェックボックス８４中に、世界各地等、例えば、東アジア、西アジア、北米、南米、西ヨーロッパ、東ヨーロッパ、北アフリカ、南アフリカ等をさらに入れ込むようにしてもよい。
【００７７】
ボタン８５は、入力された情報を登録する場合に操作される。ボタン８６は、入力された情報をキャンセルする場合に操作される。
【００７８】
ステップＳ１４：基本制御モジュール４１は、入力が終了したか否か、すなわち、ボタン８５が操作されたか否かを判定し、操作された場合にはステップＳ１５に進み、それ以外の場合には同様の処理を繰り返す。
【００７９】
ステップＳ１５：基本制御モジュール４１は、画面８０において入力された情報を、送受信管理モジュール４０を介して受信し、ＤＢ４３に一時的に格納する。
【００８０】
ステップＳ１６：基本制御モジュール４１は、ＤＢ管理モジュール４２を制御して、制作者自身のイメージまたは制作者が制作する著作物のイメージを入力する画面を表示するための情報をＤＢ４３から取得し、送受信管理モジュール４０を介して、要求を行ったクライアント装置１３に送信する。その結果、クライアント装置１３の表示装置３７には、図７に示すような画面９０が表示されることになる。
【００８１】
この表示例では、画面９０の最上部には、タイトル９１として「イメージ」が表示されている。また、その下には、スライダ９２〜１００が表示されている。最下部には、ボタン１０１，１０２が表示されている。
【００８２】
ここで、スライダ９２では、対立するイメージ「明るい」および「暗い」を対極とした場合に、制作者自身が有するイメージまたは制作者が作成する著作物が有するイメージに対応する位置につまみ（黒塗りの三角形）を移動させることにより、当該イメージを数値化する。具体的には、つまみの位置が中央である場合には、「明るい」および「暗い」のいずれのイメージも有しないことを示し、つまみを左に移動させる程、「明るい」イメージが強くなり、つまみを右に移動させる程、「暗い」イメージが強くなる。なお、つまみが中央に位置する場合は“０”を、つまみが左端に位置する場合は“＋１０”を、つまみが右端に位置する場合には“−１０”を示すものとする。
【００８３】
スライダ９３では、対立するイメージ「軽い」および「重い」を対極とした場合のイメージが数値として入力される。スライダ９４では、対立するイメージ「静かな」および「騒がしい」を対極とした場合のイメージが数値として入力される。スライダ９５では、対立するイメージ「幸福な」および「不幸な」を対極とした場合のイメージが数値として入力される。スライダ９６では、対立するイメージ「元気な」および「落ち着いた」を対極とした場合のイメージが数値として入力される。スライダ９７では、対立するイメージ「清々しい」および「憂鬱な」を対極とした場合のイメージが数値として入力される。スライダ９８では、対立するイメージ「甘い」および「辛い」を対極とした場合のイメージが数値として入力される。スライダ９９では、対立するイメージ「夏の」および「冬の」を対極とした場合のイメージが数値として入力される。スライダ１００では、対立するイメージ「春の」および「秋の」を対極とした場合のイメージが数値として入力される。これらのイメージの項目は、一例であり、これらの一部のみを採用したり、これら以外にも、例えば、理知的な、上昇志向的な、異文化的な等の項目を加えるようにしてもよい。
【００８４】
ボタン１０１は、入力された情報を登録する場合に操作される。ボタン１０２は、入力された情報をキャンセルする場合に操作される。なお、各スライダ５２〜１００は、初期設定としては、それぞれ中央に位置した状態となっており、表示装置３７に表示された当初は、全て中央部に位置している。
【００８５】
ステップＳ１７：基本制御モジュール４１は、入力が終了したか否か、すなわち、ボタン１０１が操作されたか否かを判定し、操作された場合にはステップＳ１８に進み、それ以外の場合には同様の処理を繰り返す。
【００８６】
ステップＳ１８：基本制御モジュール４１は、画面９０において入力された情報を、送受信管理モジュール４０を介して受信し、ＤＢ４３に一時的に格納する。
【００８７】
ステップＳ１８：基本制御モジュール４１は、ステップＳ１２、ステップＳ１５、およびステップＳ１８において取得された情報を、ＤＢ４３に登録する。図８は、このときＤＢ４３に登録される情報の一例を示す図である。この例では、図５、図６、および図７において入力された情報が各項目毎に枠内に表示されている。なお、このような情報は、各制作者を単位として、ＤＢ４３に登録されることになる。
【００８８】
以上の処理により、制作者のサーバ装置１０への登録が終了する。
【００８９】
つぎに、図９を参照して、提供者が、サーバ装置１０にアクセスし、自己の商品等に適合する制作者を検索する処理について説明する。なお、提供者は、ソフトドリンクの製造業者であり、クライアント装置１２を操作して、サーバ装置１０にアクセスするものとする。
【００９０】
ステップＳ３０：基本制御モジュール４１は、ＤＢ管理モジュール４２を制御して、検索画面を表示するための情報をＤＢ４３から取得し、送受信管理モジュール４０を介して、要求を行ったクライアント装置１２に送信する。その結果、クライアント装置１２の表示装置３７には、図１０に示すような画面１２０であって未入力状態の画面１２０が表示されることになる。
【００９１】
この表示例では、画面１２０の最上部には、タイトル１２１として「検索」が表示されている。また、その下には、テキストボックス１２２〜１２７が表示されている。最下部には、ボタン１２８，１２９が表示されている。
【００９２】
ここで、テキストボックス１２２には、提供者の会社名が入力される。テキストボックス１２３には、制作者とタイアップしてプロモーションを行おうとする商品の商品名が入力される。テキストボックス１２４には、制作者とタイアップしようとする商品のジャンルが入力される。テキストボックス１２５には、商品の予定販売数（または、プロモーションの対象となる商品の個数）が入力される。テキストボックス１２６には、商品に投入可能な予算の額が入力される。テキストボックス１２７には、商品のプロモーション開始時期が入力される。
【００９３】
ボタン１２８は、入力された情報を登録する場合に操作される。ボタン１２９は、入力された情報をキャンセルする場合に操作される。
【００９４】
ステップＳ３１：基本制御モジュール４１は、入力が終了したか否かを判定し、すなわち、ボタン１２８が操作されたか否かを判定し、操作された場合にはステップＳ３２に進み、それ以外の場合には同様の処理を繰り返す。
【００９５】
ステップＳ３２：基本制御モジュール４１は、送受信管理モジュール４０を介して、クライアント装置１２から図１０に示す画面１２０より入力された情報を取得する。
【００９６】
ステップＳ３３：基本制御モジュール４１は、ＤＢ管理モジュール４２を制御して、プロモーションの対象となるターゲットに関する情報を入力する画面を表示するための情報をＤＢ４３から取得し、送受信管理モジュール４０を介して、要求を行ったクライアント装置１２に送信する。その結果、クライアント装置１２の表示装置３７には、図１１に示すような画面１３０であって、未チェックの状態の画面１３０が表示されることになる。
【００９７】
この表示例では、画面１３０の最上部には、タイトル１３１として「ターゲット」が表示されている。また、その下には、チェックボックス１３２〜１３４が表示されている。最下部には、ボタン１３５，１３６が表示されている。
【００９８】
ここで、チェックボックス１３２には、プロモーションにおいてターゲットとする需要者の性別が入力される。男性をメインのターゲットとしたい場合には、「男性」側のチェックボックスがチェックされ、女性をメインのターゲットとしたい場合には、「女性」側のチェックボックスがチェックされ、両方をターゲットとしたい場合には「男性」と「女性」の双方のチェックボックスがチェックされる。
【００９９】
チェックボックス１３３には、ターゲットの年齢層が入力される。この例では、「１０歳未満」、「１０〜２０歳」、「２１〜３０歳」、「３１〜４０歳」、「４１〜５０歳」、「５１〜６０歳」、「６１〜７０歳」、「８０歳以上」が表示されており、該当するチェックボックスがチェックされる。
【０１００】
チェックボックス１３４には、プロモーションのターゲットとなる地域が入力される。この例では、「北海道」、「東北」、「関東」、「甲信越」、「北陸」、「東海」、「近畿」、「中国」、「四国」、「九州」が表示されており、該当するチェックボックスがチェックされる。このチェックボックス１３４は、前述のように、世界各地を入れ込むようにしてもよい。
【０１０１】
ボタン１３５は、入力された情報を登録する場合に操作される。ボタン１３６は、入力された情報をキャンセルする場合に操作される。
【０１０２】
ステップＳ３４：基本制御モジュール４１は、入力が終了したか否かを判定し、すなわち、ボタン１３５が操作されたか否かを判定し、操作された場合にはステップＳ３５に進み、それ以外の場合には同様の処理を繰り返す。
【０１０３】
ステップＳ３５：基本制御モジュール４１は、送受信管理モジュール４０を介して、クライアント装置１２から図１１に示す画面１３０より入力された情報を取得する。
【０１０４】
ステップＳ３６：基本制御モジュール４１は、ＤＢ管理モジュール４２を制御して、提供者がタイアップしようとする制作者自身に求めるイメージ、または制作者の制作するコンテンツに求めるイメージを入力する画面を表示するための情報をＤＢ４３から取得し、送受信管理モジュール４０を介して、要求を行ったクライアント装置１２に送信する。その結果、クライアント装置１２の表示装置３７には、図１２に示すような画面１４０であって、各スライダ１４２〜１５０が中央に位置している状態の画面１４０が表示されることになる。
【０１０５】
この表示例では、画面１４０の最上部には、タイトル１４１として「イメージ」が表示されている。また、その下には、スライダ１４２〜１５０が表示されている。最下部には、ボタン１５１，１５２が表示されている。
【０１０６】
ここで、スライダ１４２では、対立するイメージ「明るい」および「暗い」を対極とした場合に、提供者がタイアップしようとする制作者自身に求めるイメージ、または制作者の制作するコンテンツに求めるイメージに対応する位置につまみ（黒塗りの三角形）の位置を移動させることにより、当該イメージを数値化する。具体的には、つまみの位置が中央である場合には、「明るい」および「暗い」のいずれのイメージも有しないことを示し、つまみを左に移動させる程、「明るい」イメージが強くなり、つまみを右に移動させる程、「暗い」イメージが強くなる。なお、つまみが中央に位置する場合は“０”を、つまみが左端に位置する場合は“＋１０”を、つまみが右端に位置する場合には“−１０”を示すものとする。
【０１０７】
スライダ１４３では、対立するイメージ「軽い」および「重い」を対極とした場合のイメージが数値として入力される。スライダ１４４では、対立するイメージ「静かな」および「騒がしい」を対極とした場合のイメージが数値として入力される。スライダ１４５では、対立するイメージ「幸福な」および「不幸な」を対極とした場合のイメージが数値として入力される。スライダ１４６では、対立するイメージ「元気な」および「落ち着いた」を対極とした場合のイメージが数値として入力される。スライダ１４７では、対立するイメージ「清々しい」および「憂鬱な」を対極とした場合のイメージが数値として入力される。スライダ１４８では、対立するイメージ「甘い」および「辛い」を対極とした場合のイメージが数値として入力される。スライダ１４９では、対立するイメージ「夏の」および「冬の」を対極とした場合のイメージが数値として入力される。スライダ１５０では、対立するイメージ「春の」および「秋の」を対極とした場合のイメージが数値として入力される。
【０１０８】
このイメージ項目としては、制作者側が入力する際のイメージ項目と同様に、他の項目を追加したり、他の項目に変えたりしてもよい。なお、提供者側が入力するこのイメージ項目と制作者側が入力するイメージ項目とは、一致させるのが好ましいが、類似の項目としたり、全く異なる項目としたりしてもよい。ただし、いずれの場合も制作者側が入力するイメージ項目と一定の関係を数値的にもたせるようにするのが好ましい。
【０１０９】
ボタン１５１は、入力された情報を登録する場合に操作される。ボタン１５２は、入力された情報をキャンセルする場合に操作される。
【０１１０】
ステップＳ３７：基本制御モジュール４１は、入力が終了したか否かを判定し、すなわち、ボタン１５１が操作されたか否かを判定し、操作された場合にはステップＳ３８に進み、それ以外の場合には同様の処理を繰り返す。
【０１１１】
ステップＳ３８：基本制御モジュール４１は、送受信管理モジュール４０を介して、クライアント装置１２から図１２に示す画面１４０より入力された情報を取得する。
【０１１２】
ステップＳ３９：基本制御モジュール４１は、ステップＳ３２、ステップＳ３５、およびステップＳ３８において入力された情報に適合する制作者を、ＤＢ４３から検索する処理を実行する。
【０１１３】
図１３は、ステップＳ３９に示す検索処理の詳細を説明するための図である。この処理が開始されると、以下のステップが実行される。
【０１１４】
ステップＳ６０：基本制御モジュール４１は、ＤＢ管理モジュール４２を制御して、ＤＢ４３から制作者の登録情報（図８参照）を１つ取得する。
【０１１５】
ステップＳ６１：基本制御モジュール４１は、登録情報からタイアップ情報を取得する。
【０１１６】
ステップＳ６２：基本制御モジュール４１は、ステップＳ６１において取得したタイアップ情報に示される、現在または過去にタイアップしたことがある提供者が提供する商品のジャンル（この例では、ソフトドリンク）と、図１０のテキストボックス１２４に入力された商品のジャンルとを比較し（ステップＳ６２）、これらが一致するか、または、類似しない場合には、ステップＳ６３に進み、それ以外の場合にはステップＳ７２に進む。なお、このように、現在または過去のタイアップ歴を検討の対象とするのは、すでに他の企業（特に、競業他社）の同一または類似の商品に起用された制作者は、起用しないという業界の慣行に基づくものである。なお、商品が類似するか否かの判断は、類似する商品を示すテーブルを準備しておき、このテーブルを参照することで判断できる。なお、提供者と、当該提供者が提供している商品のジャンルとを対応付けしたテーブルを準備しておき、タイアップ情報として、商品のジャンルではなく、提供者の名称が登録されている場合には、このテーブルを利用することにより、商品のジャンルが同一または類似であるか否かを判定することができる。
【０１１７】
ステップＳ６３：基本制御モジュール４１は、登録情報からコスト情報を取得する。
【０１１８】
ステップＳ６４：基本制御モジュール４１は、ステップＳ６３において取得したコスト情報と、図１０のテキストボックス１２６に入力された予算とを比較し、予算の範囲であるか否かを判定し、予算の範囲である場合にはステップＳ６５に進み、それ以外の場合にはステップＳ７２に進む。具体的には、この例では、コストは、１枚あたり２０円であり、販売予定数は５０万本であるので、必要な費用は１千万円（＝２０円×５０万）である。したがって、予算の１億円の範囲内であるので、ステップＳ６５に進む。
【０１１９】
ステップＳ６５：基本制御モジュール４１は、登録情報からスケジュール情報を取得する。この例では、スケジュール情報として格納されているファイル名に対応するファイルが取得され、その内容が取得される。
【０１２０】
ステップＳ６６：基本制御モジュール４１は、ステップＳ６５において取得したスケジュール情報と、図１０のテキストボックス１２７に入力された商品のプロモーション開始時期とを比較し、プロモーション開始時期、または、その前後に制作者のスケジュールが空いているか否かを判断する。そして、スケジュールが空いている場合には、ステップＳ６７に進み、それ以外の場合にはステップＳ７２に進む。
【０１２１】
ステップＳ６７：基本制御モジュール４１は、登録情報からファン情報を取得する。
【０１２２】
ステップＳ６８：基本制御モジュール４１は、ステップＳ６７において取得したファン情報と、図１１に示すターゲット情報を比較し、例えば、これらが所定の項目数以上一致しているか否かを判定し、一致している場合にはステップＳ６９に進み、それ以外の場合にはステップＳ７２に進む。具体的には、図１１においてチェックされた項目と同一の項目が図６においてチェックされているかを判定し、所定数以上一致している場合には、ファン層が一致していると判定して、ステップＳ６９に進む。なお、各チェックボックス１３２〜１３４に優先順位を設けて判断することも可能である。例えば、チェックボックス１３２の性別が一致する場合には一致度がより高いと判定することができる。
【０１２３】
ステップＳ６９：基本制御モジュール４１は、登録情報からイメージ情報を取得する。
【０１２４】
ステップＳ７０：基本制御モジュール４１は、ステップＳ６９において取得したイメージ情報と、図１２において入力されたイメージ情報を、評価式を用いて一致度を評価する。
【０１２５】
具体的には、図７に示す画面９０のスライダ９２〜１００を操作して入力されたそれぞれの値をｙ１〜ｙ９とし、図１２に示す画面１４０のスライダ１４２〜１５０を操作して入力されたそれぞれの値をｘ１〜ｘ９とし、また、それぞれの項目に対する評価の重みをａ１〜ａ９とし、これらを以下の式（１）に代入し、これらの評価値Ｖを算出する。
【数１】
2005049927.tif 000003
【０１２６】
なお、式（１）は、各評価項目の評価値のズレを累積加算した結果を評価値Ｖとして求めるものである。提供者が求めるイメージと、制作者自身のイメージまたは制作者が制作するコンテンツのイメージの一致度が高いほど、評価値Ｖの値が小さくなる。なお、重みａ１〜ａ９は、その項目を評価しない場合には、“０”とする。また、その項目を大きく評価する場合には、大きい値を設定し、小さく評価する場合には小さい値を設定する。
【０１２７】
ステップＳ７１：基本制御モジュール４１は、登録情報と、評価値Ｖとを関連付けし、候補としてＤＢ４３に登録する。
【０１２８】
ステップＳ７２：基本制御モジュール４１は、全ての登録情報についての検索処理が完了したか否かを判定し、完了していない場合には、ステップＳ６０に戻って同様の処理を繰り返し、それ以外の場合には元の処理に復帰する。
【０１２９】
図９に戻って、以上に示すステップＳ３９の処理が完了すると、ステップＳ４０に進む。
【０１３０】
ステップＳ４０：基本制御モジュール４１は、ＤＢ管理モジュール４２を制御して、検索結果画面を表示するための情報をＤＢ４３から取得し、送受信管理モジュール４０を介して、要求を行ったクライアント装置１２に送信する。その結果、クライアント装置１２の表示装置３７には、図１４に示すような画面１７０が表示されることになる。
【０１３１】
この表示例では、画面１７０の最上部には、タイトル１７１として「検索結果」が表示されている。また、その下には、ホットテキスト１７２〜１７６、適合率１７７〜１８１、ボタン１８２〜１８６、およびボタン１８７〜１９１が表示されている。
【０１３２】
ここで、ホットテキスト１７２〜１７６としては、検索の結果、候補として選択された制作者の氏名であって、当該制作者の属性情報（図１５に示す情報）にハイパーリンクが張られたテキストが、適合率が高い順に表示されている。なお、適合率は、式（１）における評価結果に基づいて算出された値であり、例えば、式（１）により得られる評価値Ｖが“０”である場合には適合率が１００％と判断され、評価値Ｖが“１００”以上である場合には適合率が０％と判断される。
【０１３３】
図１５は、ホットテキスト１７２〜１７６が操作された場合に表示される画面の一例を示す図である。この例では、画面２１０の最上部には、タイトル２１１として「候補」が表示されている。また、その下には、テキスト２１２〜２２３が表示され、最下部にはボタン２２４が表示されている。ここで、テキスト２１２〜２２３は、制作者である「特許太郎」に関する属性情報（図５に示す画面６０で入力された情報）が表示されている。なお、テキスト２１９，２２１は、ハイパーリンクが張られており、これを操作することにより、制作者の作品情報やスケジュールを表示する画面（図示せず）が表示される。また、ボタン２２４は、この画面２１０を閉じる場合に操作される。なお、作品情報としては、「シングルＣＤ１枚」等の表示を行うようにしてもよい。
【０１３４】
図１４に戻って、ボタン１８２〜１８６は、それぞれの制作者が過去に制作したコンテンツを試聴する際に操作される。すなわち、これらのボタン１８２〜１８６が操作されると、図５に示すテキストボックス６９において入力されたファイル名に対応するファイルが読み出されて再生されることになる。
【０１３５】
ボタン１８７〜１９１は、それぞれの制作者に発注を行う場合に操作されるボタンである。これらのボタンが操作されると、発注を行うための画面（図示せず）が表示され、それぞれの制作者にコンテンツの作成を発注することが可能になる。
【０１３６】
なお、直ちに発注を行うのではなく、例えば、２〜３の制作者に絞って、さらに評価を行い、最終的に発注を行うようにしてもよい。また、絞られた複数の制作者に発注し、発注した結果、できあがってきたコンテンツを評価し、その結果に基づいて最終的に採用するコンテンツを決定するようにしてもよい。
【０１３７】
発注が行われると、制作者は、提供者がプロモーションしようとする商品のイメージに適合したオリジナルなコンテンツを作成する。コンテンツとしては「インストゥルメンタル音楽」、「ボーカル音楽」、「オリジナルな映像と音楽」、「朗読と音楽または／および映像」等とする。提供者が、当該コンテンツに納得した場合には、当該コンテンツを、例えば、ＣＤに録音し、提供する商品にノベルティ品、景品、または、プレミアム品として添付等して販売することになる。
【０１３８】
以上の実施の形態によれば、制作者が自己に関する情報および自己のイメージもしくは自己の作品に関するイメージに係る情報をサーバ装置１０に登録しておき、提供者が自己の商品または役務に関する情報およびそのイメージに関する情報に基づいて、適合する制作者を検索するようにしたので、提供者は、自己の商品または役務の持つイメージに適合する制作者を簡易かつ迅速に見つけることが可能になる。一方、制作者は、オリジナルなコンテンツを売り出すとともに、公衆に自己のコンテンツを公表する機会を得ることができる。なお、各入力作業を制作者側や提供者側がそれぞれ行うのではなく、このシステムを運用する者（仲介業者）に紙媒体等でデータを渡し、システム運用者がクライアント装置１１を介して入力するようにしてもよい。
【０１３９】
以上の実施の形態では、制作者等が自己の情報をサーバ装置１０に登録しておき、提供者等が自己の商品等に適合する制作者を検索するようにしたが、提供者が自己の商品等に関する情報をサーバ装置１０に登録しておき、制作者が自己のコンテンツに適合する商品等を提供する提供者を検索するようにしてもよい。以下では、そのような場合の実施の形態について説明する。
【０１４０】
図１６は、提供者側が自己の商品等に関する情報をサーバ装置１０に登録しておき、制作者側が自己のコンテンツに適合する商品等を提供する提供者を検索する場合の動作の流れを説明するためのフローチャートである。このフローチャートが開始されると、以下のステップが開始される。なお、以下では、提供者がクライアント装置１２を操作してサーバ装置１０にアクセスし、自己に関する情報を登録する場合を例に挙げて説明する。
【０１４１】
ステップＳ９０：基本制御モジュール４１は、ＤＢ管理モジュール４２を制御して、登録画面を表示するための情報をＤＢ４３から取得し、送受信管理モジュール４０を介して、要求を行ったクライアント装置１２に送信する。その結果、クライアント装置１２の表示装置３７には、図１７に示すような画面２４０であっても未入力状態の画面２４０が表示されることになる。
【０１４２】
この表示例では、画面２４０の最上部には、タイトル２４１として「登録」が表示されている。また、その下には、テキストボックス２４２〜２５０が表示され、最下部にはボタン２５１，２５２が表示されている。
【０１４３】
ここで、テキストボックス２４２には、商品名が入力される。テキストボックス２４３には、商品のジャンルが入力される。テキストボックス２４４には、製造元の名称が入力される。テキストボックス２４５には、商品の販売元の名称が入力される。テキストボックス２４６には、商品の価格（単価）が入力される。テキストボックス２４７には、当該商品の現在の主なユーザ層が入力される。テキストボックス２４８には、商品の販売開始時期（またはプロモーション開始時期）が入力される。テキストボックス２４９には、商品のプロモーションに投資することが可能な予算が入力される。テキストボックス２５０には、商品の販売予定個数（または、プロモーションの対象個数）が入力される。
【０１４４】
ボタン２５１は、入力された情報をサーバ装置１０に登録する場合に操作される。ボタン２５２は、入力された情報をキャンセルする場合に操作される。
【０１４５】
ステップＳ９１：基本制御モジュール４１は、入力が終了したか否か、すなわち、ボタン２５１が操作されたか否かを判定し、操作された場合にはステップＳ９２に進み、それ以外の場合には同様の処理を繰り返す。
【０１４６】
ステップＳ９２：基本制御モジュール４１は、画面２４０において入力された情報を、送受信管理モジュール４０を介して受信し、ＤＢ４３に一時的に格納する。
【０１４７】
ステップＳ９３：基本制御モジュール４１は、ＤＢ管理モジュール４２を制御して、商品のプロモーションのターゲットに関する情報を入力する画面を表示するための情報をＤＢ４３から取得し、送受信管理モジュール４０を介して、要求を行ったクライアント装置１２に送信する。その結果、クライアント装置１２の表示装置３７には、図１８に示すような画面２７０であって、未チェックの画面２７０が表示されることになる。
【０１４８】
この表示例では、画面２７０の最上部には、タイトル２７１として「ターゲット」が表示されている。また、その下には、チェックボックス２７２〜２７４が表示されている。最下部には、ボタン２７５，２７６が表示されている。
【０１４９】
ここで、チェックボックス２７２には、ターゲットの性別が入力される。男性がメインのターゲットである場合には、「男性」側のチェックボックスがチェックされ、女性がメインのターゲットである場合には、「女性」側のチェックボックスがチェックされ、両方がターゲットである場合には「男性」と「女性」の双方のチェックボックスがチェックされる。
【０１５０】
チェックボックス２７３には、ターゲットの年齢層が入力される。この例では、「１０歳未満」、「１０〜２０歳」、「２１〜３０歳」、「３１〜４０歳」、「４１〜５０歳」、「５１〜６０歳」、「６１〜７０歳」、「８０歳以上」が表示されており、該当するチェックボックスがチェックされる。
【０１５１】
チェックボックス２７４には、ターゲットとなる地域が入力される。この例では、「北海道」、「東北」、「関東」、「甲信越」、「北陸」、「東海」、「近畿」、「中国」、「四国」、「九州」が表示されており、該当するチェックボックスがチェックされる。なお、チェックボックス２７４に、世界各地域を入れ込むようにしてもよい。
【０１５２】
ボタン２７５は、入力された情報を登録する場合に操作される。ボタン２７６は、入力された情報をキャンセルする場合に操作される。
【０１５３】
ステップＳ９４：基本制御モジュール４１は、入力が終了したか否か、すなわち、ボタン２７５が操作されたか否かを判定し、操作された場合にはステップＳ９５に進み、それ以外の場合には同様の処理を繰り返す。
【０１５４】
ステップＳ９５：基本制御モジュール４１は、画面２７０において入力された情報を、送受信管理モジュール４０を介して受信し、ＤＢ４３に一時的に格納する。
【０１５５】
ステップＳ９６：基本制御モジュール４１は、ＤＢ管理モジュール４２を制御して、提供者が、制作者自身または制作者が制作するコンテンツに求めるイメージを入力する画面を表示するための情報をＤＢ４３から取得し、送受信管理モジュール４０を介して、要求を行ったクライアント装置１２に送信する。その結果、クライアント装置１２の表示装置３７には、図１９に示すような画面３００であって、各スライダが中央に配置されている初期画面となる画面３００が表示されることになる。
【０１５６】
この表示例では、画面３００の最上部には、タイトル３０１として「イメージ」が表示されている。また、その下には、スライダ３０２〜３１０が表示されている。最下部には、ボタン３１１，３１２が表示されている。
【０１５７】
なお、画面３００に表示されている内容は、図７の場合と同様であるのでその説明は省略する。
【０１５８】
ステップＳ９７：基本制御モジュール４１は、入力が終了したか否か、すなわち、ボタン３１１が操作されたか否かを判定し、操作された場合にはステップＳ９８に進み、それ以外の場合には同様の処理を繰り返す。
【０１５９】
ステップＳ９８：基本制御モジュール４１は、画面３００において入力された情報を、送受信管理モジュール４０を介して受信し、ＤＢ４３に一時的に格納する。
【０１６０】
ステップＳ９９：基本制御モジュール４１は、ステップＳ９２、ステップＳ９５、およびステップＳ９８において取得された情報を、ＤＢ４３に登録する。図２０は、このときＤＢ４３に登録される情報の一例を示す図である。この例では、図１７〜図１８において入力された情報が各項目毎に枠内に表示されている。なお、このような情報は、商品毎にＤＢ４３に登録される。
【０１６１】
以上の処理により、提供者に関する情報のサーバ装置１０への登録が終了する。
【０１６２】
つぎに、図２１を参照して、制作者が、サーバ装置１０にアクセスし、自己のコンテンツに適合する商品を検索する場合の処理について説明する。なお、制作者は、ハードロック系のアーティストであり、クライアント装置１３を操作して、サーバ装置１０にアクセスするものとする。
【０１６３】
ステップＳ１２０：基本制御モジュール４１は、ＤＢ管理モジュール４２を制御して、検索画面を表示するための情報をＤＢ４３から取得し、送受信管理モジュール４０を介して、要求を行ったクライアント装置１３に送信する。その結果、クライアント装置１３の表示装置３７には、図２２に示すような画面３３０であって、未入力の画面３３０が表示されることになる。
【０１６４】
この表示例では、画面３３０の最上部には、タイトル３３１として「検索」が表示されている。また、その下には、テキストボックス３３２〜３４３が表示されている。最下部には、ボタン３４４，３４５が表示されている。
【０１６５】
テキストボックス３３２には、制作者の氏名が入力される。テキストボックス３３３には、制作者の性別が入力される。テキストボックス３３４には、制作者の年齢が入力される。テキストボックス３３５には、制作者の出身地が入力される。テキストボックス３３６には、制作者の所属プロダクションが入力される。テキストボックス３３７には、制作者の契約レコード会社が入力される。
【０１６６】
テキストボックス３３８には、制作者のタイアップ情報（過去にタイアップしたことがある会社名または当該会社が提供する商品等に関する情報）が入力される。テキストボックス３３９には、制作者の作品情報が入力される。この例では、作品情報として、制作者が制作した楽曲を録音したファイルの名前が入力されている。テキストボックス３４０には、制作者が過去に参加したイベントに関する情報が入力される。テキストボックス３４１には、制作者のスケジュールが入力される。この例では、スケジュールが格納されたファイルの名前が入力されている。テキストボックス３４２には、制作者の制作する著作物のジャンルが入力される。テキストボックス３４３には、制作者が制作した著作物を、例えば、ＣＤ等に複製する場合の１枚あたりの製造コストが入力される。なお、製造コストではなく、輸送費等を含めたトータルのコストとすることもできる。
【０１６７】
ボタン３４４は、入力された情報を登録する場合に操作される。また、ボタン３４５は、入力された情報をキャンセルする場合に操作される。
【０１６８】
ステップＳ１２１：基本制御モジュール４１は、入力が終了したか否か、すなわち、ボタン３４４が操作されたか否かを判定し、操作された場合にはステップＳ１２２に進み、それ以外の場合には同様の処理を繰り返す。
【０１６９】
ステップＳ１２２：基本制御モジュール４１は、送受信管理モジュール４０を介して、クライアント装置１３から図２２に示す画面３３０より入力された情報を取得する。
【０１７０】
ステップＳ１２３：基本制御モジュール４１は、ＤＢ管理モジュール４２を制御して、制作者のファンに関する情報を入力する画面を表示するための情報をＤＢ４３から取得し、送受信管理モジュール４０を介して、要求を行ったクライアント装置１３に送信する。その結果、クライアント装置１３の表示装置３７には、図２３に示すような画面３６０であって未チェックの状態の画面３６０が表示されることになる。
【０１７１】
この表示例では、画面３６０の最上部には、タイトル３６１として「ファン」が表示されている。また、その下には、チェックボックス３６２〜３６４が表示されている。最下部には、ボタン３６５，３６６が表示されている。
【０１７２】
ここで、チェックボックス３６２には、制作者の現時点における主たるファンの性別が入力される。男性が主たるファンの場合には、「男性」側のチェックボックスがチェックされ、女性が主たるファンである場合には、「女性」側のチェックボックスがチェックされ、両方が主たるファンである場合には「男性」と「女性」の双方のチェックボックスがチェックされる。
【０１７３】
チェックボックス３６３には、主たるファンの年齢層が入力される。この例では、「１０歳未満」、「１０〜２０歳」、「２１〜３０歳」、「３１〜４０歳」、「４１〜５０歳」、「５１〜６０歳」、「６１〜７０歳」、「８０歳以上」が表示されており、該当するチェックボックスがチェックされる。
【０１７４】
チェックボックス３６４には、ファンが主に居住している地域が入力される。この例では、「北海道」、「東北」、「関東」、「甲信越」、「北陸」、「東海」、「近畿」、「中国」、「四国」、「九州」が表示されており、該当するチェックボックスがチェックされる。
【０１７５】
ボタン３６５は、入力された情報をする場合に操作される。ボタン３６６は、入力された情報をキャンセルする場合に操作される。
【０１７６】
ステップＳ１２４：基本制御モジュール４１は、入力が終了したか否か、すなわち、ボタン３６５が操作されたか否かを判定し、操作された場合にはステップＳ１２５に進み、それ以外の場合には同様の処理を繰り返す。
【０１７７】
ステップＳ１２５：基本制御モジュール４１は、送受信管理モジュール４０を介して、クライアント装置１３から図２３に示す画面３６０より入力された情報を取得する。
【０１７８】
ステップＳ１２６：基本制御モジュール４１は、ＤＢ管理モジュール４２を制御して、制作者自身が有するイメージまたは制作者が制作したコンテンツが有するイメージを入力する画面を表示するための情報をＤＢ４３から取得し、送受信管理モジュール４０を介して、要求を行ったクライアント装置１３に送信する。その結果、クライアント装置１３の表示装置３７には、図２４に示すような画面３８０であって、スライダが全て中央に位置する画面３８０が表示されることになる。
【０１７９】
この表示例では、画面３８０の最上部には、タイトル３８１として「イメージ」が表示されている。また、その下には、スライダ３８２〜３９１が表示されている。最下部には、ボタン３９２，３９３が表示されている。
【０１８０】
なお、図２４の表示内容は、図７の場合と同様であるのでその説明は省略する。
【０１８１】
ステップＳ１２７：基本制御モジュール４１は、入力が終了したか否か、すなわち、ボタン３９２が操作されたか否かを判定し、操作された場合にはステップＳ１２８に進み、それ以外の場合には同様の処理を繰り返す。
【０１８２】
ステップＳ１２８：基本制御モジュール４１は、送受信管理モジュール４０を介して、クライアント装置１３から図２４に示す画面３８０より入力された情報を取得する。
【０１８３】
ステップＳ１２９：基本制御モジュール４１は、ステップＳ１２２、ステップＳ１２５、およびステップＳ１２８において入力された情報に適合する提供者を、ＤＢ４３から検索する処理を実行する。
【０１８４】
図２５は、ステップＳ１２９に示す検索処理の詳細を説明するための図である。この処理が開始されると、以下のステップが実行される。
【０１８５】
ステップＳ１５０：基本制御モジュール４１は、ＤＢ管理モジュール４２を制御して、ＤＢ４３から提供者の登録情報（図２０参照）を１つ取得する。
【０１８６】
ステップＳ１５１：基本制御モジュール４１は、登録情報から商品のジャンルに関する情報を取得する。
【０１８７】
ステップＳ１５２：基本制御モジュール４１は、ステップＳ１５１において取得した商品のジャンルと、制作者が現在または過去にタイアップしたことがある提供者が提供する商品のジャンルとを比較し、これらが同一であるか、または、類似する場合には、ステップＳ１５３に進み、それ以外の場合にはステップＳ１６２に進む。なお、このような処理を実行するのは、前述の場合と同様に、同一または類似のジャンルの商品には、同一の制作者は起用しないという業界の慣行に基づくものである。
【０１８８】
ステップＳ１５３：基本制御モジュール４１は、登録情報から予算に関する情報を取得する。
【０１８９】
ステップＳ１５４：基本制御モジュール４１は、ステップＳ１５３において取得した予算に関する情報と、図２２のテキストボックス３４３に入力されたコストとを比較し、予算の範囲であるか否かを判定し、予算の範囲である場合にはステップＳ１５５に進み、それ以外の場合にはステップＳ１６２に進む。具体的には、この例では、コストは、１枚あたり１５円であり、販売予定数は５０万本であるので、必要な費用は７５０万円（＝１５円×５０万）である。したがって、予算の１億円の範囲内であるので、ステップＳ１５５に進む。
【０１９０】
ステップＳ１５５：基本制御モジュール４１は、登録情報から販売開始時期（または、プロモーション開始時期）に関する情報を取得する。
【０１９１】
ステップＳ１５６：基本制御モジュール４１は、ステップＳ１５５において取得した販売開始時期情報と、図２２のテキストボックス３４１に入力された制作者のスケジュールとを比較し、販売開始時期、または、その前後に制作者のスケジュールが空いているか否かを判断する。そして、スケジュールが空いている場合には、ステップＳ１５７に進み、それ以外の場合にはステップＳ１６２に進む。
【０１９２】
ステップＳ１５７：基本制御モジュール４１は、登録情報からターゲット情報を取得する。
【０１９３】
ステップＳ１５８：基本制御モジュール４１は、ステップＳ１５７において取得したターゲット情報と、図２３に示すファン情報を比較し、例えば、これらが所定の項目以上一致しているか否かを判定し、一致している場合にはステップＳ１５９に進み、それ以外の場合にはステップＳ１６２に進む。具体的には、図２３においてチェックされた項目と同一の項目が図１８においてチェックされているかを判定し、所定数以上一致している場合には、ファン層とターゲット層が一致していると判定して、ステップＳ１５９に進む。なお、各チェックボックス３６２〜３６４に優先順位を設けて判断することも可能である。例えば、チェックボックス３６２の性別が一致する場合には一致度がより高いと判定することも可能である。
【０１９４】
ステップＳ１５９：基本制御モジュール４１は、登録情報からイメージ情報を取得する。
【０１９５】
ステップＳ１５８：基本制御モジュール４１は、ステップＳ１５９において取得したイメージ情報と、図２４において入力されたイメージ情報を、評価式を用いて一致度を評価する。
【０１９６】
具体的には、図１９に示す画面３００のスライダ３０２〜３１０を操作して入力されたそれぞれの値をｙ１〜ｙ９とし、図２４に示す画面３８０のスライダ３８２〜３９１を操作して入力されたそれぞれの値をｘ１〜ｘ９とし、また、それぞれの項目に対する評価の重みをａ１〜ａ９とし、これらを前述の式（１）に代入し、評価値Ｖを算出する。
【０１９７】
なお、前述のように、式（１）は、各評価項目の評価値のズレを累積加算した結果を評価値Ｖとして求めるものである。提供者が求めるイメージと、制作者自身が有するイメージまたは制作者が制作するコンテンツの有するイメージの一致度が高いほど、評価値Ｖの値が小さくなる。なお、重みａ１〜ａ９は、その項目を評価しない場合には、“０”とする。また、その項目を大きく評価する場合には、大きい値を設定し、小さく評価する場合には小さい値を設定する。
【０１９８】
ステップＳ１６１：基本制御モジュール４１は、登録情報と、評価値Ｖとを関連付けし、候補としてＤＢ４３に登録する。
【０１９９】
ステップＳ１６２：基本制御モジュール４１は、全ての登録情報についての検索処理が完了したか否かを判定し、完了していない場合には、ステップＳ１５０に戻って同様の処理を繰り返し、それ以外の場合には元の処理に復帰する。
【０２００】
図２１に戻って、以上に示すステップＳ１２９の処理が完了すると、ステップＳ１３０に進む。
【０２０１】
ステップＳ１３０：基本制御モジュール４１は、ＤＢ管理モジュール４２を制御して、検索結果画面を表示するための情報をＤＢ４３から取得し、送受信管理モジュール４０を介して、要求を行ったクライアント装置１３に送信する。その結果、クライアント装置１３の表示装置３７には、図２６に示すような画面４１０が表示されることになる。
【０２０２】
この表示例では、画面４１０の最上部には、タイトル４１１として「検索結果」が表示されている。また、その下には、ホットテキスト４１２〜４１６、適合率４１７〜４２１、ボタン４２２〜４２６、およびボタン４２７〜４３２が表示されている。
【０２０３】
ここで、ホットテキスト４１２〜４１６としては、検索の結果、候補として選択された商品名であって、当該商品の属性情報（図２７に示す情報）にハイパーリンクが張られたテキストが、適合率が高い順に表示されている。なお、適合率は、式（１）における評価結果に基づいて算出された値であり、例えば、式（１）により得られる評価値Ｖが“０”である場合には適合率が１００％と判断され、評価値Ｖが“１００”以上である場合には適合率が０％と判断される。
【０２０４】
図２７は、ホットテキスト４１２〜４１６が操作された場合に表示される画面の一例を示す図である。この例では、画面４５０の最上部には、タイトル４５１として「候補」が表示されている。また、その下には、テキスト４５２〜４６０が表示され、最下部にはボタン４６１が表示されている。ここで、テキスト４５２〜４６０は、商品「○×ドリンク」に関する属性情報（図１７に示す画面２４０で入力された情報）が表示されている。ボタン４６１は、この画面４５０を閉じる場合に操作される。
【０２０５】
ボタン４２２〜４２６は、ホットテキスト４１２〜４１６がそれぞれ操作された場合と同様の画面が表示される。ボタン４２７〜４３１は、それぞれの提供者に申し込みを行う場合に操作されるボタンである。これらのボタンが操作されると、申し込みを行うための画面（図示せず）が表示され、それぞれの提供者にコンテンツの作成を申し込むことが可能になる。
【０２０６】
なお、申込みが複数の制作者からなされた場合には、申込みを受け付けた提供者は、これら複数の制作者の中から、自己の商品に最も適合した制作者を選択し、発注を行う。
【０２０７】
発注がなされると、制作者は、コンテンツを制作し、提供者に供給する。提供者は、制作者から供給されたオリジナルなコンテンツを、例えば、ＣＤやＤＶＤ等のメディアに複製し、自己の商品等に添付等して販売することになる。
【０２０８】
以上の実施の形態によれば、提供者が、制作者に求める情報をサーバ装置１０に登録しておき、制作者が自己のコンテンツに関する情報およびそのイメージに関する情報に基づいて、適合する提供者を検索するようにしたので、制作者は、自己のイメージに適合する提供者を簡易かつ迅速に見つけることが可能になる。一方、制作者は、オリジナルなコンテンツを売り出すとともに、公衆に自己のコンテンツを公表する機会を得ることができる。
【０２０９】
この各実施の形態では、いずれの場合にもＣＤ、ＤＶＤ等は、商品や製品に貼付されたり、抽選でプレゼントされたりする方法で消費者に届けられる。商品や製品や役務の価格は全く変更なく、ベタ付け景品とされたり、ノベルティとされたり、プレミアムとされたりして、消費者にプレゼントされる。しかし、このような方法以外で、ＣＤ、ＤＶＤ等を消費者に配布してもよい。
【０２１０】
また、上述の各実施の形態では、アーティスト（制作者）は、露出の機会を増加させ、新たなファンを獲得できる。しかも、レコード会社等やプロダクションは、新人アーティストの強力な宣伝となる。一方、提供者側は商品等の価値を上げることができるとともに、商品等の拡販につながる。
【０２１１】
以上、本発明の一実施の形態について説明したが、本発明はこれ以外にも種々変形可能である。例えば、以上の実施の形態では、サーバ装置１０をインターネット１６に接続し、提供者および制作者がクライアント装置１２〜１４を介してサーバ装置１０にアクセスし、所望のコンテンツまたは商品を検索するようにしたが、インターネット１６を介さずに、例えば、ＬＡＮ１５または図示せぬ他のＬＡＮを介してアクセスするようにしたり、サーバ装置１０自体を直接操作して、検索ができるようにしてもよい。また、各種のデータの入力や検索をこのシステムを運用する者（仲介業者）が行うようにしてもよい。
【０２１２】
また、図２８および図２９に示すように、インターネット１６を使用しない方法を採用することができる。なお、図２８に示す方法において、上述した実施の形態で採用している方法も併用することができる。
【０２１３】
図２８の例では、まず、提供者５０２がプロモーションしようとする商品（この例では、ワイン５０６）に合致する曲のイメージについて、提供者５０２と仲介業者５０１が話し合い、その結果を制作者５００に対して伝える。例えば、ワイン５０６の場合は、恋人と一緒に飲む場面で聞くような曲を想定し、商品を楽しむ雰囲気を演出することができる曲のイメージを制作者５００に伝える。
【０２１４】
仲介業者５０１は、制作者５００から提供された商品をイメージしたオリジナル曲５０４に基づいて、オリジナルＣＤ５０５を製造し、提供者５０２に納品する。なお、オリジナルＣＤ５０５は、主に、８ｃｍサイズのＣＤか、または、カード型のＣＤとする。そして、大量生産により、１枚あたりの製造コストを、１００円以下に抑え、提供者５０２の広告費が膨らまないようにする。
【０２１５】
提供者５０２は、仲介業者５０１から納品されたオリジナルＣＤ５０５を、図２９に示す包装用紙５２０に包装して、店舗５０３に納入する。ここで、包装用紙５２０は、オリジナルＣＤ５０５を格納する袋状の下部５２１ｂと、ワイン５０６のビンの首にぶら下げるための孔５２３を有する上部５２１ａとからなる袋体５２１によって構成されている。上部５２１ａには、商品名を示すタイトル５２２として「○×ワイン」と、特許太郎のシングルＣＤが添付されていることを示すメッセージ５２４として「特許太郎のシングルＣＤ付き」が表示されている。
【０２１６】
なお、オリジナルＣＤ５０５として、８ｃｍのものを使用するのは、清涼飲料の１リットルサイズのボトルの幅とＣＤの幅がほぼ等しいので、陳列棚に配置する場合であっても、オリジナルＣＤ５０５が配列の邪魔にならないからである。なお、５００ミリリットルサイズのボトルの場合には、カード型のＣＤを使用すればよい。ＣＤの幅がボトルの幅とほぼ等しいからである。
【０２１７】
このようにして、オリジナルＣＤ５０５が添付されたワイン５０６は、店舗５０３で陳列されて販売される。顧客（図示せず）は、ワイン５０６を購入し、添付されているオリジナルＣＤ５０５を袋体５２１から取り出し、再生装置で再生することにより、録音されている曲を試聴する。また、顧客は、袋体５２１に記載されているメッセージ５２４により、この曲を作曲（または演奏）しているアーティストが「特許太郎」であることを知ることができる。したがって、このようにワイン５０６にオリジナルＣＤ５０５を添付して販売することにより、アーティストの宣伝を行うことができる。
【０２１８】
また、顧客がワイン５０６を知らない場合であっても、ある程度周知であるアーティスト「特許太郎」のオリジナルＣＤ５０５が添付されていることを知った場合には、ワイン５０６の購買意欲を高揚させることができる。このため、ワイン５０６の拡販を図ることが可能になる。
【０２１９】
また、以上の実施の形態では、ファンに関する情報、およびイメージに関する情報については、制作者または提供者が自分で入力するようにしたが、客観性を担保するために、例えば、仲介業者が所定の基準に基づいて評価を行い、その結果を登録するようにしてもよい。そのような方法によれば、データの妥当性と客観性を高めることができる。なお、客観的な情報（例えば、氏名、性別等）については、制作者または提供者が自分で入力するようにしてもよい。
【０２２０】
また、図１９に示す画面３００では、提供者が制作者自身に求めるイメージまたは制作者が制作したコンテンツに求めるイメージを入力するようにしたが、例えば、提供者が提供する商品が有するイメージを入力するようにしてもよい。また、図２４に示す画面３８０では、制作者自身が有するイメージまたは制作者が制作したコンテンツが有するイメージを入力するようにしたが、制作者が求めている商品のイメージを入力するようにすることも可能である。
【０２２１】
また、以上の実施の形態で示した、ファンに関する情報、およびイメージに関する情報として列挙した評価項目は、一例であって、本発明がこのような場合に限定されるものではない。
【０２２２】
また、以上の実施の形態では、商品を例に挙げて説明したが、役務についても本発明を適用可能であることはいうまでもない。
【０２２３】
また、以上の実施の形態では、制作者によって制作されたコンテンツが記録されたＣＤ等を商品に添付して販売する場合を例に挙げて説明したが、ＣＤではなく、例えば、ＤＶＤまたはＭＤ（Ｍｉｎｉ  Ｄｉｓｋ）等の光記録媒体、または、ＦＤ（Ｆｌｅｘｉｂｌｅ  Ｄｉｓｋ）等の磁気記録媒体とすることも可能である。さらに、商品に添付するのは、パスワード等の情報のみとしておき、これを利用してインターネット１６を介して所定のサーバ装置にアクセスすることにより、制作者によって制作されたコンテンツを電子情報としてダウンロードできるようにしてもよい。また、プログラムをサーバ装置に格納しておき、プログラムを実行することにより発揮される機能のみを提供するようにしてもよい。
【０２２４】
また、以上の実施の形態では、イメージの適合性については、式（１）を用いて評価するようにしたが、これ以外にも、例えば、以下に示す式（２）を用いるようにしてもよい。なお、この式（２）では、絶対値により、各評価値の距離を求めている。
【数２】
2005049927.tif 000004
【０２２５】
また、以上の実施の形態では、検索の結果を表示するようにしたが、適合するものが存在しない場合には、検索画面において入力された情報を登録しておき、適合するものが登録された時点で、通知を行うようにしてもよい。
【０２２６】
また、提供者にコンテンツが納入された後に、提供者が制作者を評価し、その評価内容をＤＢ４３に登録し、つぎに検索を行う場合に参照するようにしてもよい。
【０２２７】
また、オークションまたは逆オークション形式として、提供者が制作者を選択する場合には最もコストが安い者を優先的に選択し、一方、制作者が提供者を選択する場合には最もコストが高い者を優先的に選択するようにしてもよい。
【０２２８】
また、登録された情報を後発的に変更することができるようにしてもよい。例えば、コストまたは予算については、他の制作者または他の提供者との関係で、適切な金額を設定し直しできるようにすることも可能である。
【０２２９】
また、以上の実施の形態では、イメージについては、図７，１２，１９，２４に示すような画面から入力するようにしたが、例えば、これらをキーワード形式で登録しておき、検索の際にはキーワードが一致するか否かによって候補を選択するようにしてもよい。例えば、制作者自身が有するイメージまたは制作者が制作するコンテンツの有するイメージについては、複数のキーワードで表現（例えば、「爽快な、アップテンポな、軽やかな」として登録しておき、検索する際には、例えば、「爽快な、アップテンポな」等を入力し、該当するキーワードが所定数以上含まれている場合には、適合すると判断するようにしてもよい。
【０２３０】
なお、そのような場合には、類語辞典をサーバ装置１０に準備しておき、入力されたキーワードと同義のキーワードについても検索の対象とすれば、個人間の表現力の相違による検索漏れを防止することができる。具体的には、「軽快な」については、「軽やかな」についても検索する、といった具合である。
【０２３１】
また、仲介業者側で、使用可能なキーワードの範囲を予め決定し、決められた範囲から選択することにより、客観性を担保することも可能である。
【０２３２】
また、以上の実施の形態では、サーバ装置１０において全ての処理を実行するようにしたが、例えば、クライアント装置１１〜１４側に少なくとも一部の処理を分担するようにしてもよい。そのような方法によれば、サーバ装置１０にかかる負担を軽減させることが可能になる。
【０２３３】
なお、以上の処理機能を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Ｒａｎｄｏｍ  Ａｃｃｅｓｓ  Ｍｅｍｏｒｙ）、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録媒体には、ＭＯなどがある。
【０２３４】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０２３５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０２３６】
以上のように、本発明は、オリジナルのコンテンツ等によって、商品の価値を高め、一方、コンテンツの制作者側は、新人アーティスト等のプロモーションを大々的に行うことができる。また、現在、１曲入りのＣＤは、売り上げが激減しており、複数曲が入ったアルバムＣＤに駆逐されつつある。このような状況下、１曲入りのＣＤは無料化し、商品のプレミアムやノベルティとして扱うことは、従来の発想を大きく転換するものである。このため、本発明は、１曲程度の楽曲入りのＣＤを商品に付けて販売する場合に最も好適となる。
【０２３７】
【発明の効果】
本発明によれば、商品または役務を提供する提供者と、コンテンツを制作する制作者とを結びつけ、両者の売り上げ増進に貢献することが可能となる。
【図面の簡単な説明】
【図１】本発明のサーバ装置を含む仲介システムの構成例を示す図である。
【図２】図１に示すサーバ装置およびクライアント装置の詳細な構成例を示す図である。
【図３】図２に示すＨＤＤに格納されているソフトウエアと、ＣＰＵ、ＲＯＭ、ＲＡＭ、ＨＤＤが協働することにより実現される処理機能の一例を示す図である。
【図４】図１に示すサーバ装置に新たな制作者に関する情報を登録する際に実行される処理の一例を示すフローチャートである。
【図５】図４に示すフローチャート中の登録画面表示のステップが実行される場合に表示され、制作者に関する情報を入力するための入力画面の一例を示す図である。
【図６】図４に示すフローチャート中のファン情報入力画面表示のステップが実行される場合に表示され、制作者のファンに関する情報を入力するための入力画面の一例を示す図である。
【図７】図４に示すフローチャート中のイメージ情報入力画面表示のステップが実行される場合に表示され、制作者自身または制作者が制作したコンテンツが有するイメージに関する情報を入力するための入力画面の一例を示す図である。
【図８】図４に示すフローチャートによる処理により、サーバ装置に登録される情報の一例を示す図である。
【図９】図４に示すフローチャートによる処理により、サーバ装置に登録された制作者に関する情報の中から、提供者が自己の商品に適合する者を検索する場合に実行される処理の一例を説明するためのフローチャートである。
【図１０】図９に示すフローチャートの検索画面表示のステップが実行された場合に表示される検索画面の一例を示す図である。
【図１１】図９に示すフローチャートのターゲット入力画面表示のステップが実行された場合に表示されるターゲットを入力するための画面の一例を示す図である。
【図１２】図９に示すフローチャートのイメージ入力画面表示のステップが実行された場合に表示されるイメージを入力するための画面の一例を示す図である。
【図１３】図９に示すフローチャート中の検索画面表示のステップの詳細を説明するためのフローチャートである。
【図１４】図１３に示すフローチャートによる処理の結果得られた検索結果を表示するための画面の一例である。
【図１５】図１４に示すホットテキスト「１．特許太郎」が操作された場合に表示される画面の一例である。
【図１６】図１に示すサーバ装置に商品に関する情報を登録する際に実行される処理の一例を示すフローチャートである。
【図１７】図１６に示すフローチャート中の登録画面表示のステップが実行される場合に表示され、提供者に関する情報を入力するための入力画面の一例を示す図である。
【図１８】図１６に示すフローチャート中のターゲット情報入力画面表示のステップが実行される場合に表示され、提供者が販売しようとする商品のターゲットに関する情報を入力するための入力画面の一例を示す図である。
【図１９】図１６に示すフローチャート中のイメージ情報入力画面表示のステップが実行される場合に表示され、商品が有するイメージに関する情報を入力するための入力画面の一例を示す図である。
【図２０】図１６に示すフローチャートによる処理により、サーバ装置に登録される情報の一例を示す図である。
【図２１】図１６に示す処理によって、サーバ装置に登録された商品に関する情報の中から、制作者が自己のコンテンツに適合する商品を検索する場合に実行される処理の一例を説明するためのフローチャートである。
【図２２】図２１に示すフローチャート中の検索画面表示のステップが実行された場合に表示される検索画面の一例を示す図である。
【図２３】図２１に示すフローチャート中のファン入力画面表示のステップが実行された場合に表示されるファンを入力するための画面の一例を示す図である。
【図２４】図２１に示すフローチャート中のイメージ入力画面表示のステップが実行された場合に表示されるイメージを入力するための画面の一例を示す図である。
【図２５】図２１に示すフローチャート中の検索処理の詳細を説明するためのフローチャートである。
【図２６】図２１に示すフローチャート中の検索処理のステップにより得られた検索結果を表示するための画面の一例である。
【図２７】図２６に示すホットテキスト「１．○×ドリンク」が操作された場合に表示される画面の一例である。
【図２８】本発明の他の実施の形態の一例を示す図である。
【図２９】図２８に示すオリジナルＣＤを包装する包装用紙の構成例を示す図である。
【符号の説明】
１０  サーバ装置
１１〜１４  クライアント装置
１５  ＬＡＮ
１６  インターネット
４０  送受信管理モジュール
４１  基本制御モジュール（入力手段、呈示手段）
４２  ＤＢ管理モジュール（検索手段）
４３  ＤＢ（登録手段）
【図１】
2005049927.tif 000005
【図２】
2005049927.tif 000006
【図３】
2005049927.tif 000007
【図４】
2005049927.tif 000008
【図５】
2005049927.tif 000009
【図６】
2005049927.tif 000010
【図７】
2005049927.tif 000011
【図８】
2005049927.tif 000012
【図９】
2005049927.tif 000013
【図１０】
2005049927.tif 000014
【図１１】
2005049927.tif 000015
【図１２】
2005049927.tif 000016
【図１３】
2005049927.tif 000017
【図１４】
2005049927.tif 000018
【図１５】
2005049927.tif 000019
【図１６】
2005049927.tif 000020
【図１７】
2005049927.tif 000021
【図１８】
2005049927.tif 000022
【図１９】
2005049927.tif 000023
【図２０】
2005049927.tif 000024
【図２１】
2005049927.tif 000025
【図２２】
2005049927.tif 000026
【図２３】
2005049927.tif 000027
【図２４】
2005049927.tif 000028
【図２５】
2005049927.tif 000029
【図２６】
2005049927.tif 000030
【図２７】
2005049927.tif 000031
【図２８】
2005049927.tif 000032
【図２９】
2005049927.tif 000033